(57)【要約】【課題】消費電力量を精度良く予測する。【解決手段】個別消費電力計測部１１は、複数の電気機器のそれぞれが個別に消費している電力を計測する。消費済電力量取得部１２は、複数の電気機器が開始時刻から現在時刻までの間に消費した電力量を取得する。代表値情報取得部１４は、複数の電気機器のそれぞれが個別に消費した電力の代表値を運転状態毎に示す代表値情報を取得する。消費予定電力量取得部１５は、代表値情報と、スケジュールを示す情報と、に基づいて、複数の電気機器が現在時刻から終了時刻までの間に消費する予定の電力量を取得する。消費電力量予測値取得部１６は、消費済電力量取得部１２が取得した電力量と、消費予定電力量取得部１５が取得した電力量と、を合計することにより、予測値を取得する。【選択図】図４
2015035883.tif 000002
【特許請求の範囲】
【請求項１】
複数の電気機器のそれぞれが個別に消費している電力を計測する個別消費電力計測手段と、
前記個別消費電力計測手段が計測した電力の値に基づいて、前記複数の電気機器が開始時刻から現在時刻までの間に消費した電力量を取得する消費済電力量取得手段と、
前記個別消費電力計測手段が計測した電力の値と、前記複数の電気機器の運転状態のスケジュールを示す情報と、に基づいて、前記複数の電気機器のそれぞれが個別に消費した電力の代表値を運転状態毎に示す代表値情報を取得する代表値情報取得手段と、
前記代表値情報取得手段が取得した代表値情報と、前記スケジュールを示す情報と、に基づいて、前記複数の電気機器が前記現在時刻から終了時刻までの間に消費する予定の電力量を取得する消費予定電力量取得手段と、
前記消費済電力量取得手段が取得した電力量と、前記消費予定電力量取得手段が取得した電力量と、を合計することにより、前記複数の電気機器が前記開始時刻から前記終了時刻までの間に消費する電力量の予測値を取得する消費電力量予測値取得手段と、を備える、
ことを特徴とする消費電力量予測システム。
【請求項２】
前記消費予定電力量取得手段は、前記複数の電気機器のうちの特定の電気機器が前記現在時刻から前記終了時刻までの間に特定の運転状態になることが予定されている場合、前記特定の電気機器が前記特定の運転状態にあったときに前記個別消費電力計測手段が計測した電力の代表値に基づいて、前記特定の電気機器が消費する予定の電力量を取得する、
ことを特徴とする請求項１に記載の消費電力量予測システム。
【請求項３】
前記消費予定電力量取得手段は、前記複数の電気機器のうちの特定の電気機器が前記現在時刻から前記終了時刻までの間に特定の運転状態になることが予定されている場合、前記特定の電気機器と同じ種類の電気機器が前記特定の運転状態にあったときに前記個別消費電力計測手段が計測した電力の代表値に基づいて、前記特定の電気機器が消費する予定の電力量を取得する、
ことを特徴とする請求項１に記載の消費電力量予測システム。
【請求項４】
前記消費予定電力量取得手段は、前記電力の代表値に加え、さらに、運転条件の差異に基づいて、前記特定の電気機器が消費する予定の電力量を取得する、
ことを特徴とする請求項２又は３に記載の消費電力量予測システム。
【請求項５】
前記消費電力量予測値取得手段が取得した予測値が閾値を超えている場合、警告を発する警告手段、をさらに備える、
ことを特徴とする請求項１乃至４のいずれか１項に記載の消費電力量予測システム。
【請求項６】
前記消費電力量予測値取得手段が取得した予測値が閾値を超えている場合、前記複数の電気機器のうち、運転状態を変更することが推奨される少なくとも１つの電気機器を特定する特定手段と、
前記特定手段が特定した少なくとも１つの電気機器を明示する情報を提示する提示手段と、をさらに備える、
ことを特徴とする請求項１乃至５のいずれか１項に記載の消費電力量予測システム。
【請求項７】
前記消費電力量予測値取得手段が取得した予測値が閾値を超えている場合、前記複数の電気機器のうち、運転状態を変更することが推奨される少なくとも１つの電気機器を特定する特定手段と、
前記特定手段が特定した少なくとも１つの電気機器の運転状態を、現在の運転状態よりも消費電力が低い運転状態に変更する変更手段と、をさらに備える、
ことを特徴とする請求項１乃至６のいずれか１項に記載の消費電力量予測システム。
【請求項８】
前記特定手段は、前記消費電力量予測値取得手段が取得した予測値が閾値を超えている場合、前記代表値情報と前記スケジュールを示す情報とに基づいて、前記複数の電気機器のうち、運転状態を変更することが推奨される１つの電気機器を特定する、
ことを特徴とする請求項６又は７に記載の消費電力量予測システム。
【請求項９】
前記特定手段は、前記消費電力量予測値取得手段が取得した予測値が閾値を超えている場合、前記複数の電気機器のうち、運転状態を変更することが推奨される、予め定められた少なくとも１つの電気機器を特定する、
ことを特徴とする請求項６又は７に記載の消費電力量予測システム。
【請求項１０】
複数の電気機器のそれぞれが個別に消費している電力を計測する個別消費電力計測装置が計測した電力の値に基づいて、前記複数の電気機器が開始時刻から現在時刻までの間に消費した電力量を取得する消費済電力量取得手段と、
前記個別消費電力計測装置が計測した電力の値と、前記複数の電気機器の運転状態のスケジュールを示す情報と、に基づいて、前記複数の電気機器のそれぞれが個別に消費した電力の代表値を運転状態毎に示す代表値情報を取得する代表値情報取得手段と、
前記代表値情報取得手段が取得した代表値情報と、前記スケジュールを示す情報と、に基づいて、前記複数の電気機器が前記現在時刻から終了時刻までの間に消費する予定の電力量を取得する消費予定電力量取得手段と、
前記消費済電力量取得手段が取得した電力量と、前記消費予定電力量取得手段が取得した電力量と、を合計することにより、前記複数の電気機器が前記開始時刻から前記終了時刻までの間に消費する電力量の予測値を取得する消費電力量予測値取得手段と、を備える、
ことを特徴とする消費電力量予測装置。
【請求項１１】
複数の電気機器のそれぞれが個別に消費している電力を計測する個別消費電力計測ステップと、
前記個別消費電力計測ステップで計測した電力の値に基づいて、前記複数の電気機器が開始時刻から現在時刻までの間に消費した電力量を取得する消費済電力量取得ステップと、
前記個別消費電力計測ステップで計測した電力の値と、前記複数の電気機器の運転状態のスケジュールを示す情報と、に基づいて、前記複数の電気機器のそれぞれが個別に消費した電力の代表値を運転状態毎に示す代表値情報を取得する代表値情報取得ステップと、
前記代表値情報取得ステップで取得した代表値情報と、前記スケジュールを示す情報と、に基づいて、前記複数の電気機器が前記現在時刻から終了時刻までの間に消費する予定の電力量を取得する消費予定電力量取得ステップと、
前記消費済電力量取得ステップで取得した電力量と、前記消費予定電力量取得ステップで取得した電力量と、を合計することにより、前記複数の電気機器が前記開始時刻から前記終了時刻までの間に消費する電力量の予測値を取得する消費電力量予測値取得ステップと、を備える、
ことを特徴とする消費電力量予測方法。
【請求項１２】
複数の電気機器のそれぞれが個別に消費している電力を計測する個別消費電力計測装置に接続されたコンピュータを、
前記個別消費電力計測装置が計測した電力の値に基づいて、前記複数の電気機器が開始時刻から現在時刻までの間に消費した電力量を取得する消費済電力量取得手段、
前記個別消費電力計測装置が計測した電力の値と、前記複数の電気機器の運転状態のスケジュールを示す情報と、に基づいて、前記複数の電気機器のそれぞれが個別に消費した電力の代表値を運転状態毎に示す代表値情報を取得する代表値情報取得手段、
前記代表値情報取得手段が取得した代表値情報と、前記スケジュールを示す情報と、に基づいて、前記複数の電気機器が前記現在時刻から終了時刻までの間に消費する予定の電力量を取得する消費予定電力量取得手段、
前記消費済電力量取得手段が取得した電力量と、前記消費予定電力量取得手段が取得した電力量と、を合計することにより、前記複数の電気機器が前記開始時刻から前記終了時刻までの間に消費する電力量の予測値を取得する消費電力量予測値取得手段、として機能させる、
ことを特徴とするプログラム。
【発明の詳細な説明】
【技術分野】
【０００１】
本発明は、消費電力量予測システム、消費電力量予測装置、消費電力量予測方法、及び、プログラムに関する。
【背景技術】
【０００２】
電力の利用者が電力会社に支払う電気料金は、契約電力に応じて定められる基本料金と、実際に使用した電力量に応じて定められる使用電力量料金とにより構成されることが一般的である。ここで、３０分単位における平均使用電力の１ヶ月の中での最大値が、その月の最大需要電力（デマンド値）となる。そして、最大需要電力が契約電力を超えると、契約電力が最大需要電力で更新されたり、違約金が発生したりする。従って、利用者は、コストを抑えるために、最大需要電力が契約電力を超えないようにすることが重要である。
【０００３】
現在、最大需要電力が契約電力を超えないようにするための種々の技術が知られている。例えば、特許文献１には、複数の負荷の総電力量の測定値に基づいて消費電力量を予測し、予測した消費電力量に基づいてデマンド制御するデマンド制御方法等が開示されている。
【先行技術文献】
【特許文献】
【０００４】
【特許文献１】特開２００３−０７０１６２号公報
【発明の概要】
【発明が解決しようとする課題】
【０００５】
正確なデマンド制御を実現するためには、消費電力量を精度良く予測することが重要である。しかしながら、特許文献１に開示されたデマンド制御方法では、複数の負荷が個別に消費する電力量ではなく、複数の負荷が消費する総電力量に基づいて消費電力量を予測するため、消費電力量を精度良く予測することができない。従って、消費電力量を精度良く予測することが可能な技術が望まれている。
【０００６】
本発明は、このような状況に鑑みてなされたものであり、消費電力量を精度良く予測することが可能な消費電力量予測システム、消費電力量予測装置、消費電力量予測方法、及び、プログラムを提供することを目的とする。
【課題を解決するための手段】
【０００７】
上記目的を達成するために、本発明の第１の観点に係る消費電力量予測システムは、
複数の電気機器のそれぞれが個別に消費している電力を計測する個別消費電力計測手段と、
前記個別消費電力計測手段が計測した電力の値に基づいて、前記複数の電気機器が開始時刻から現在時刻までの間に消費した電力量を取得する消費済電力量取得手段と、
前記個別消費電力計測手段が計測した電力の値と、前記複数の電気機器の運転状態のスケジュールを示す情報と、に基づいて、前記複数の電気機器のそれぞれが個別に消費した電力の代表値を運転状態毎に示す代表値情報を取得する代表値情報取得手段と、
前記代表値情報取得手段が取得した代表値情報と、前記スケジュールを示す情報と、に基づいて、前記複数の電気機器が前記現在時刻から終了時刻までの間に消費する予定の電力量を取得する消費予定電力量取得手段と、
前記消費済電力量取得手段が取得した電力量と、前記消費予定電力量取得手段が取得した電力量と、を合計することにより、前記複数の電気機器が前記開始時刻から前記終了時刻までの間に消費する電力量の予測値を取得する消費電力量予測値取得手段と、を備える、
ことを特徴とする。
【０００８】
前記消費予定電力量取得手段は、前記複数の電気機器のうちの特定の電気機器が前記現在時刻から前記終了時刻までの間に特定の運転状態になることが予定されている場合、前記特定の電気機器が前記特定の運転状態にあったときに前記個別消費電力計測手段が計測した電力の代表値に基づいて、前記特定の電気機器が消費する予定の電力量を取得してもよい。
【０００９】
前記消費予定電力量取得手段は、前記複数の電気機器のうちの特定の電気機器が前記現在時刻から前記終了時刻までの間に特定の運転状態になることが予定されている場合、前記特定の電気機器と同じ種類の電気機器が前記特定の運転状態にあったときに前記個別消費電力計測手段が計測した電力の代表値に基づいて、前記特定の電気機器が消費する予定の電力量を取得してもよい。
【００１０】
前記消費予定電力量取得手段は、前記電力の代表値に加え、さらに、運転条件の差異に基づいて、前記特定の電気機器が消費する予定の電力量を取得してもよい。
【００１１】
前記消費電力量予測値取得手段が取得した予測値が閾値を超えている場合、警告を発する警告手段、をさらに備えてもよい。
【００１２】
前記消費電力量予測値取得手段が取得した予測値が閾値を超えている場合、前記複数の電気機器のうち、運転状態を変更することが推奨される少なくとも１つの電気機器を特定する特定手段と、
前記特定手段が特定した少なくとも１つの電気機器を明示する情報を提示する提示手段と、をさらに備えてもよい。
【００１３】
前記消費電力量予測値取得手段が取得した予測値が閾値を超えている場合、前記複数の電気機器のうち、運転状態を変更することが推奨される少なくとも１つの電気機器を特定する特定手段と、
前記特定手段が特定した少なくとも１つの電気機器の運転状態を、現在の運転状態よりも消費電力が低い運転状態に変更する変更手段と、をさらに備えてもよい。
【００１４】
前記特定手段は、前記消費電力量予測値取得手段が取得した予測値が閾値を超えている場合、前記代表値情報と前記スケジュールを示す情報とに基づいて、前記複数の電気機器のうち、運転状態を変更することが推奨される１つの電気機器を特定してもよい。
【００１５】
前記特定手段は、前記消費電力量予測値取得手段が取得した予測値が閾値を超えている場合、前記複数の電気機器のうち、運転状態を変更することが推奨される、予め定められた少なくとも１つの電気機器を特定してもよい。
【００１６】
上記目的を達成するために、本発明の第２の観点に係る消費電力量予測装置は、
複数の電気機器のそれぞれが個別に消費している電力を計測する個別消費電力計測装置が計測した電力の値に基づいて、前記複数の電気機器が開始時刻から現在時刻までの間に消費した電力量を取得する消費済電力量取得手段と、
前記個別消費電力計測装置が計測した電力の値と、前記複数の電気機器の運転状態のスケジュールを示す情報と、に基づいて、前記複数の電気機器のそれぞれが個別に消費した電力の代表値を運転状態毎に示す代表値情報を取得する代表値情報取得手段と、
前記代表値情報取得手段が取得した代表値情報と、前記スケジュールを示す情報と、に基づいて、前記複数の電気機器が前記現在時刻から終了時刻までの間に消費する予定の電力量を取得する消費予定電力量取得手段と、
前記消費済電力量取得手段が取得した電力量と、前記消費予定電力量取得手段が取得した電力量と、を合計することにより、前記複数の電気機器が前記開始時刻から前記終了時刻までの間に消費する電力量の予測値を取得する消費電力量予測値取得手段と、を備える、
ことを特徴とする。
【００１７】
上記目的を達成するために、本発明の第３の観点に係る消費電力量予測方法は、
複数の電気機器のそれぞれが個別に消費している電力を計測する個別消費電力計測ステップと、
前記個別消費電力計測ステップで計測した電力の値に基づいて、前記複数の電気機器が開始時刻から現在時刻までの間に消費した電力量を取得する消費済電力量取得ステップと、
前記個別消費電力計測ステップで計測した電力の値と、前記複数の電気機器の運転状態のスケジュールを示す情報と、に基づいて、前記複数の電気機器のそれぞれが個別に消費した電力の代表値を運転状態毎に示す代表値情報を取得する代表値情報取得ステップと、
前記代表値情報取得ステップで取得した代表値情報と、前記スケジュールを示す情報と、に基づいて、前記複数の電気機器が前記現在時刻から終了時刻までの間に消費する予定の電力量を取得する消費予定電力量取得ステップと、
前記消費済電力量取得ステップで取得した電力量と、前記消費予定電力量取得ステップで取得した電力量と、を合計することにより、前記複数の電気機器が前記開始時刻から前記終了時刻までの間に消費する電力量の予測値を取得する消費電力量予測値取得ステップと、を備える、
ことを特徴とする。
【００１８】
上記目的を達成するために、本発明の第４の観点に係るプログラムは、
複数の電気機器のそれぞれが個別に消費している電力を計測する個別消費電力計測装置に接続されたコンピュータを、
前記個別消費電力計測装置が計測した電力の値に基づいて、前記複数の電気機器が開始時刻から現在時刻までの間に消費した電力量を取得する消費済電力量取得手段、
前記個別消費電力計測装置が計測した電力の値と、前記複数の電気機器の運転状態のスケジュールを示す情報と、に基づいて、前記複数の電気機器のそれぞれが個別に消費した電力の代表値を運転状態毎に示す代表値情報を取得する代表値情報取得手段、
前記代表値情報取得手段が取得した代表値情報と、前記スケジュールを示す情報と、に基づいて、前記複数の電気機器が前記現在時刻から終了時刻までの間に消費する予定の電力量を取得する消費予定電力量取得手段、
前記消費済電力量取得手段が取得した電力量と、前記消費予定電力量取得手段が取得した電力量と、を合計することにより、前記複数の電気機器が前記開始時刻から前記終了時刻までの間に消費する電力量の予測値を取得する消費電力量予測値取得手段、として機能させる、
ことを特徴とする。
【発明の効果】
【００１９】
本発明によれば、消費電力量を精度良く予測することができる。
【図面の簡単な説明】
【００２０】
【図１】本発明の第１の実施形態に係る消費電力量予測システムの構成を示すブロック図である。
【図２】本発明の第１の実施形態に係る消費電力量予測装置の構成を示すブロック図である。
【図３】電力測定器の構成を示すブロック図である。
【図４】本発明の第１の実施形態に係る消費電力量予測システムの機能を説明するための図である。
【図５】時刻と１つの電気機器が消費する電力との関係を示すグラフである。
【図６】スケジュール情報を示す図である。
【図７】代表値情報を示す図である。
【図８】消費済電力量情報を示す図である。
【図９】消費予定電力量情報を示す図である。
【図１０】開始時刻からの経過時間と電力量との関係を示すグラフである。
【図１１】本発明の第１の実施形態に係る消費電力量予測装置が実行する消費電力量予測処理を示すフローチャートである。
【図１２】警告画面を示す図である。
【図１３】詳細画面を示す図である。
【図１４】材料スケジュール情報を示す図である。
【図１５】調整率情報を示す図である。
【図１６】製品スケジュール情報を示す図である。
【図１７】利益率情報を示す図である。
【図１８】本発明の第４の実施形態に係る消費電力量予測システムの機能を説明するための図である。
【発明を実施するための形態】
【００２１】
以下、図面を参照して、本発明の実施形態に係る消費電力量予測システムについて説明する。
【００２２】
（第１の実施形態）
まず、図１を参照して、本実施形態に係る消費電力量予測システム１０００の構成について説明する。消費電力量予測システム１０００は、消費電力量被予測システム２０００の単位時間（典型的には、３０分間）当たりの消費電力量を予測し、予測した消費電力量が閾値（典型的には、契約電力量）を超える場合、警告を発するシステムである。
【００２３】
なお、本発明が適用される消費電力量予測システムは、図１に示す消費電力量予測システム１０００に限られない。例えば、消費電力量予測システム１０００に、適宜、種々の装置が組み込まれたシステムに本発明が適用されてもよいし、消費電力量予測システム１０００から、適宜、種々の装置が除外されたシステムに本発明が適用されてもよい。また、消費電力量予測システム１０００が備える装置の個数は、図１に示す例に限られない。
【００２４】
図１に示すように、消費電力量予測システム１０００は、消費電力量予測装置１００、電力測定器２１０、電力測定器２２０、電力測定器２３０、電気通信網３００を備える。消費電力量予測システム１０００は、消費電力量被予測システム２０００が消費する電力量を監視するシステムである。消費電力量被予測システム２０００は、電気機器４１０、電気機器４２０、電気機器４３０、キュービクル５００を備える。
【００２５】
消費電力量予測装置１００は、電力の積算を開始する時刻（以下「開始時刻」という。）から電力の積算を終了する時刻（以下「終了時刻」という。）までの期間（以下「積算期間」という。）の間に、消費電力量被予測システム２０００が消費する電力量を予測する処理を、開始時刻から終了時刻までの間繰り返す。なお、キュービクル５００は、電力を消費しないものとして説明する。
【００２６】
なお、本実施形態では、積算期間は、契約電力と比較される平均電力を算定する対象の期間であり、繰り返し到来する期間である。例えば、１つの積算期間は、Ｘ時００分からＸ時３０分までの３０分の期間、もしくは、Ｘ時３０分から（（Ｘ＋１）％２４）時００分までの３０分の期間である。ただし、Ｘは０〜２３までのいずれかの整数であり、％は剰余である。
【００２７】
電力測定器２１０は、電気機器４１０が消費した電力もしくは電力量を測定する。また、電力測定器２１０は、測定した電力もしくは電力量を示す情報を、電気通信網３００を介して消費電力量予測装置１００に供給する。なお、電力測定器２１０が消費電力量予測装置１００に測定した電力もしくは電力量を示す情報を供給する手法は任意である。例えば、電力測定器２１０は、常時、測定した電力を示す情報を消費電力量予測装置１００に供給してもよい。この場合、消費電力量予測装置１００は、供給された情報により示される電力を所定時間分積算して、所定時間内に消費された電力量を算出することができる。
【００２８】
あるいは、例えば、電力測定器２１０は、所定時間が経過する毎に、この所定時間に電気機器４１０が消費した電力量を算出し、算出した電力量を示す情報を消費電力量予測装置１００に供給してもよい。この場合、電気通信網３００におけるトラヒックの低減や、消費電力量予測装置１００における処理負荷の低減などが期待できる。本実施形態では、電力測定器２１０は、１分間経過する毎に、この１分間に電気機器４１０が消費した電力量を算出し、算出した電力量を示す情報を消費電力量予測装置１００に供給するものとして説明する。
【００２９】
電力測定器２２０は、電気機器４２０が消費した電力もしくは電力量を測定する。また、電力測定器２２０は、測定した電力もしくは電力量を示す情報を、電気通信網３００を介して消費電力量予測装置１００に供給する。電力測定器２２０の構成自体は、電力測定器２１０と同様である。
【００３０】
電力測定器２３０は、電気機器４３０が消費した電力もしくは電力量を測定する。また、電力測定器２３０は、測定した電力もしくは電力量を示す情報を、電気通信網３００を介して消費電力量予測装置１００に供給する。電力測定器２３０の構成自体は、電力測定器２１０と同様である。以下、適宜、電力測定器２１０、電力測定器２２０、電力測定器２３０を、電力測定器２００と総称する。
【００３１】
電気通信網３００は、無線通信もしくは有線通信により、消費電力量予測装置１００と、電力測定器２１０と、電力測定器２２０と、電力測定器２３０とを相互に接続する。
【００３２】
電気機器４１０、電気機器４２０、電気機器４３０のそれぞれは、キュービクル５００から供給された電力を動力源とする機器である。電気機器４１０、電気機器４２０、電気機器４３０のそれぞれは、例えば、照明機器、空調機器、印刷機器、情報処理装置などである。以下、適宜、電気機器４１０、電気機器４２０、電気機器４３０を、電気機器４００と総称する。
【００３３】
キュービクル５００は、発電所もしくは変電所から供給された高い電圧の電力を、電気機器４１０、電気機器４２０、電気機器４３０のそれぞれが使用可能な低い電圧の電力に変換する。キュービクル５００は、変換により得られた低い電圧の電力を、電気機器４１０、電気機器４２０、電気機器４３０のそれぞれに供給する。
【００３４】
次に、図２を参照して、消費電力量予測装置１００の物理的な構成について説明する。図２に示すように消費電力量予測装置１００は、ＣＰＵ（Central Processing Unit）１０１、ＲＯＭ（Read Only Memory）１０２、ＲＡＭ（Random Access Memory）１０３、ＲＴＣ（Real Time Clock）１０４、ＮＩＣ（Netork Interface Card）１０５、音声処理部１０６、操作部１０８、ハードディスク１０９、画像処理部１１０を備える。消費電力量予測装置１００が備えるこれらの構成要素は、バス１２０により相互に接続される。
【００３５】
ＣＰＵ１０１は、消費電力量予測装置１００の全体の動作を制御する。なお、ＣＰＵ１０１は、ＲＯＭ１０２に格納されているプログラムに従って動作し、ＲＡＭ１０３をワークエリアとして使用する。
【００３６】
ＲＯＭ１０２には、消費電力量予測装置１００の全体の動作を制御するためのプログラムやデータが記憶される。
【００３７】
ＲＡＭ１０３は、ＣＰＵ１０１のワークエリアとして機能する。つまり、ＣＰＵ１０１は、ＲＡＭ１０３にプログラムやデータを一時的に書き込み、これらのプログラムやデータを適宜参照する。
【００３８】
ＲＴＣ１０４は、水晶振動子や発振回路などを備える計時用のデバイスである。ＲＴＣ１０４は、内蔵電池から電源を供給され、消費電力量予測装置１００の電源がオフのときでも動作し続ける。
【００３９】
ＮＩＣ１０５は、電気通信網を介して、消費電力量予測装置１００を電力測定器２００に接続するためのインターフェースである。ＮＩＣ１０５は、例えば、ＬＡＮ（Local Area Network）を構成する際に用いられる１０ＢＡＳＥ−Ｔ／１００ＢＡＳＥ−Ｔ規格に従うインターフェース（図示せず）を含む。あるいは、ＮＩＣ１０５は、電話回線を用いて電気通信網３００に接続するためのアナログモデム、ＩＳＤＮ（Integrated Services Digital Network）モデム、ＡＤＳＬ（Asymmetric Digital Subscriber Line Modem）モデム、ケーブルテレビジョン回線を用いて電気通信網３００に接続するためのケーブルモデム等と、ＣＰＵ１０１との仲立ちを行うインターフェース（図示せず）を含む。
【００４０】
音声処理部１０６は、ＣＰＵ１０１から供給されたディジタルオーディオ信号をアナログオーディオ信号に変換して、スピーカ１０７に供給する。音声処理部１０６は、Ｄ／Ａ（Digital/Analog）コンバータ、イコライザ、アンプなどを備える。一方、スピーカ１０７は、音声処理部１０６から供給されたアナログオーディオ信号に従った音声を出力する。
【００４１】
操作部１０８は、ボタン、キー、レバー、ボリュームスイッチなどを備える。操作部１０８は、ボタン、キー、レバー、ボリュームスイッチなどにより受け付けられた操作に基づいて、当該操作に基づく信号を生成し、ＣＰＵ１０１に供給する。
【００４２】
ハードディスク１０９には、スケジュール情報、代表値情報、消費済電力量情報、消費予定電力量情報、材料スケジュール情報、調整率情報、製品スケジュール情報、利益率情報など、種々の情報が記憶される。消費電力量予測装置１００は、ハードディスク１０９に代えて、これらの種々の情報が記憶されているＤＶＤ−ＲＯＭ（Digital Versatile Disk-Read Only Memory）が装着されるＤＶＤドライブを備えていても良い。また、消費電力量予測装置１００は、ハードディスク１０９に代えて、フラッシュメモリ等を備えていてもよい。
【００４３】
画像処理部１１０は、ＣＰＵ１０１による制御のもと、表示装置１１１に表示させる画像を表す画像信号を生成する。画像処理部１１０は、生成した画像信号を表示装置１１１に供給する。一方、表示装置１１１は、画像処理部１１０から供給された画像信号に基づく画像を表示する。なお、表示装置１１１は、ＬＣＤ（Liquid Crystal Display）などである。
【００４４】
次に、図３を参照して、電力測定器２００の物理的な構成について説明する。図３に示すように、電力測定器２００は、ＣＰＵ２０１、ＲＯＭ２０２、ＲＡＭ２０３、ＲＴＣ２０４、ＮＩＣ２０５、フラッシュメモリ２０６、電流入力部２０７、電圧入力部２０８、積算部２０９を備える。電力測定器２００が備えるこれらの構成要素は、バス２４０により相互に接続される。
【００４５】
ＣＰＵ２０１は、電力測定器２００の全体の動作を制御する。なお、ＣＰＵ２０１は、例えばＲＯＭ２０２に格納されているプログラムに従って動作し、ＲＡＭ２０３をワークエリアとして使用する。
【００４６】
ＲＯＭ２０２には、電力測定器２００の全体の動作を制御するためのプログラムやデータが記憶される。
【００４７】
ＲＡＭ２０３は、ＣＰＵ２０１のワークエリアとして機能する。つまり、ＣＰＵ２０１は、ＲＡＭ２０３にプログラムやデータを一時的に書き込み、これらのプログラムやデータを適宜参照する。
【００４８】
ＲＴＣ２０４は、水晶振動子や発振回路などを備える計時用のデバイスである。ＲＴＣ２０４は、内蔵電池から電源を供給され、電力測定器２００の電源がオフのときでも動作し続ける。
【００４９】
ＮＩＣ２０５は、電気通信網３００を介して、電力測定器２００を消費電力量予測装置１００に接続するためのインターフェースである。ＮＩＣ２０５の構成自体は、ＮＩＣ１０５と同様である。
【００５０】
フラッシュメモリ２０６には、電力の測定条件を示す情報や、測定された電力もしくは電力量を示す情報などが記憶される。
【００５１】
電流入力部２０７は、電気機器４００に供給される電流の大きさを測定し、測定した電流の大きさを示す電流値を積算部２０９に供給する。電流入力部２０７は、例えば、クランプ式の電流計により構成される。
【００５２】
電圧入力部２０８は、電気機器４００に供給される電圧の大きさを測定し、測定した電圧の大きさを示す電圧値を積算部２０９に供給する。
【００５３】
積算部２０９は、乗算器と積分器とを備える。乗算器は、電流入力部２０７から供給された電流値と電圧入力部２０８から供給された電圧値とを乗算することにより、電気機器４００が消費している電力の値を求める。積分器は、乗算器が求めた電力の値を、ＲＴＣ２０４が出力する時刻情報に基づく時間で積分することにより、電気機器４００が所定期間（例えば、最新の１秒間）で消費した電力量を求める。なお、積算部２０９が求めた電力量を示す情報は、例えば、１秒毎に、ＣＰＵ２０１の制御に従って動作するＮＩＣ２０５により、消費電力量予測装置１００に供給される。
【００５４】
次に、図４を参照して、本実施形態に係る消費電力量予測システム１０００の基本的な機能について説明する。図４に示すように、消費電力量予測システム１０００は、機能的には、個別消費電力計測部１１、消費済電力量取得部１２、スケジュール情報記憶部１３、代表値情報取得部１４、消費予定電力量取得部１５、消費電力量予測値取得部１６、警告部１７、特定部１８、提示部１９を備える。
【００５５】
個別消費電力計測部１１は、複数の電気機器４００（電気機器４１０、電気機器４２０、電気機器４３０）のそれぞれが個別に消費している電力を計測する。ここで、個別消費電力計測部１１が計測する電力は、ワット（Ｗ）もしくはキロワット（ｋＷ）を単位とする電力の瞬間値であってもよいし、ワット秒（Ｗ・ｓ）もしくはキロワット時（ｋＷｈ）を単位とする電力量（つまり、単位時間当たりの平均電力）であってもよい。個別消費電力計測部１１は、例えば、電力測定器２００を含む。
【００５６】
消費済電力量取得部１２は、個別消費電力計測部１１が計測した電力の値に基づいて、複数の電気機器４００が開始時刻から現在時刻までの間に消費した電力量（以下「消費済電力量」という。）を取得する。消費済電力量取得部１２は、例えば、ＣＰＵ１０１、ＲＴＣ１０４、ＮＩＣ１０５を含む。
【００５７】
スケジュール情報記憶部１３には、複数の電気機器４００の運転状態のスケジュールを示す情報（以下「スケジュール情報」という。）が記憶される。スケジュール情報記憶部１３は、例えば、ハードディスク１０９を含む。
【００５８】
代表値情報取得部１４は、個別消費電力計測部１１が計測した電力の値と、スケジュール情報とに基づいて、複数の電気機器４００のそれぞれが個別に消費した電力の代表値を運転状態毎に示す代表値情報を取得する。なお、代表値は、例えば、最新値、平均値、最大値、最小値、などである。代表値情報取得部１４は、例えば、ＣＰＵ１０１、ＲＴＣ１０４、ＮＩＣ１０５を含む。
【００５９】
消費予定電力量取得部１５は、代表値情報取得部１４が取得した代表値情報と、スケジュール情報と、に基づいて、複数の電気機器４００が現在時刻から終了時刻までの間に消費する予定の電力量を取得する。消費予定電力量取得部１５は、例えば、ＣＰＵ１０１、ＲＴＣ１０４、ＮＩＣ１０５を含む。
【００６０】
消費電力量予測値取得部１６は、消費済電力量取得部１２が取得した消費済電力量と、消費予定電力量取得部１５が取得した消費予定電力量と、を合計することにより、複数の電気機器４００が開始時刻から終了時刻までの間に消費する電力量の予測値を取得する。消費電力量予測値取得部１６は、例えば、ＣＰＵ１０１を含む。
【００６１】
ここで、消費予定電力量取得部１５は、複数の電気機器４００のうちの特定の電気機器が現在時刻から終了時刻までの間に特定の運転状態になることが予定されている場合、同じ電気機器が同じ運転状態にあったときに個別消費電力計測部１１が計測した電力の代表値に基づいて、特定の電気機器が消費する予定の電力量を取得することができる。
【００６２】
あるいは、消費予定電力量取得部１５は、複数の電気機器４００のうちの特定の電気機器が現在時刻から終了時刻までの間に特定の運転状態になることが予定されている場合、同じ種類の電気機器が同じ運転状態にあったときに個別消費電力計測部１１が計測した電力の代表値に基づいて、特定の電気機器が消費する予定の電力量を取得することができる。
【００６３】
また、消費予定電力量取得部１５は、電力の代表値に加え、さらに、運転条件の差異に基づいて、複数の電気機器４００のうちの特定の電気機器が消費する予定の電力量を取得してもよい。
【００６４】
警告部１７は、消費電力量予測値取得部１６が取得した予測値が閾値を超えている場合、警告を発する。警告部１７は、例えば、ＣＰＵ１０１、音声処理部１０６、スピーカ１０７を含む。もしくは、警告部１７は、ＣＰＵ１０１、画像処理部１１０、表示装置１１１を含む。
【００６５】
特定部１８は、消費電力量予測値取得部１６が取得した予測値が閾値を超えている場合、複数の電気機器４００のうち、運転状態を変更することが推奨される少なくとも１つの電気機器を特定する。例えば、特定部１８は、代表値情報とスケジュール情報とに基づいて、運転状態を変更することが推奨される少なくとも１つの電気機器４００を特定する。特定部１８は、例えば、ＣＰＵ１０１を含む。
【００６６】
提示部１９は、特定部１８が特定した少なくとも１つの電気機器４００を明示する情報を提示する。提示部１９は、例えば、ＣＰＵ１０１、音声処理部１０６、スピーカ１０７を含む。もしくは、提示部１９は、ＣＰＵ１０１、画像処理部１１０、表示装置１１１を含む。
【００６７】
次に、図５、６を参照して、スケジュール情報について説明する。
【００６８】
図５は、時刻と１つの電気機器４００（例えば、電気機器４１０）が消費する電力との関係を示すグラフである。図５に示すように、１つの電気機器４００が消費する電力は、概ね、運転状態に対応した大きさである。つまり、１つの電気機器４００の運転状態が判れば、この１つの電気機器４００が消費する電力の大きさが判る。運転状態は、例えば、停止状態、待機状態、段取状態、本作業状態である。
【００６９】
停止状態は、電気機器４００の電源が入っておらず、ほとんど電力を消費しない状態である。待機状態は、電気機器４００がユーザからの指示を待っている状態であり、一定の電力を消費する状態である。段取状態は、電気機器４００がユーザからの指示に従って本作業のための準備をしている状態であり、待機状態よりも大きな電力を消費する状態である。本作業状態は、電気機器４００が目的の動作を実行している状態であり、段取状態よりも大きな電力を消費する状態である。なお、同じ運転状態であっても時間の経過とともに消費する電力が変化することはある。しかしながら、消費される電力は、概ね運転状態に依存する。なお、どの電気機器４００がどの時刻にどの運転状態になるかは、後述するスケジュール情報により示される。
【００７０】
図６は、スケジュール情報を示す図である。図６は、スケジュール情報が、機器別スケジュール情報６０１と、機器別スケジュール情報６０２と、機器別スケジュール情報６０３とにより構成されている例を示す。機器別スケジュール情報６０１は、電気機器４１０の運転状態を示す情報であり、機器別スケジュール情報６０２は、電気機器４２０の運転状態を示す情報であり、機器別スケジュール情報６０３は、電気機器４３０の運転状態を示す情報である。
【００７１】
機器別スケジュール情報６０１は、電気機器４１０の運転状態の切替時刻と切替後の運転状態とを、切替時刻の早いものから順に示す情報である。同様に、機器別スケジュール情報６０２は、電気機器４２０の運転状態の切替時刻と切替後の運転状態とを、切替時刻の早いものから順に示す情報である。同様に、機器別スケジュール情報６０３は、電気機器４３０の運転状態の切替時刻と切替後の運転状態とを、切替時刻の早いものから順に示す情報である。
【００７２】
次に、図７を参照して、代表値情報について説明する。
【００７３】
代表値情報は、ある電気機器４００がある運転状態であったときに実際に消費された電力の代表値を示す情報である。図７は、代表値情報が、機器別代表値情報７０１と、機器別代表値情報７０２と、機器別代表値情報７０３とにより構成されている例を示す。機器別代表値情報７０１は、電気機器４１０の消費電力の代表値を示す情報であり、機器別代表値情報７０２は、電気機器４２０の消費電力の代表値を示す情報であり、機器別代表値情報７０３は、電気機器４３０の消費電力の代表値を示す情報である。
【００７４】
機器別代表値情報７０１は、電気機器４１０の運転状態とこの運転状態時に消費された電力の代表値とを、運転状態毎に示す情報である。同様に、機器別代表値情報７０２は、電気機器４２０の運転状態とこの運転状態時に消費された電力の代表値とを、運転状態毎に示す情報である。機器別代表値情報７０３は、電気機器４３０の運転状態とこの運転状態時に消費された電力の代表値とを、運転状態毎に示す情報である。
【００７５】
次に、図８を参照して、消費済電力量情報について説明する。
【００７６】
消費済電力量情報は、消費された電力量を、電気機器４００毎、時間帯毎に示す情報である。なお、この時間帯は、開始時刻から現在時刻までを１分毎に区切ることにより得られる時間帯である。図８は、消費済電力量情報が、機器別消費済電力量情報８０１と、機器別消費済電力量情報８０２と、機器別消費済電力量情報８０３と、により構成されている例を示す。機器別消費済電力量情報８０１は、電気機器４１０により消費された電力量を示す情報であり、機器別消費済電力量情報８０２は、電気機器４２０により消費された電力量を示す情報であり、機器別消費済電力量情報８０３は、電気機器４３０により消費された電力量を示す情報である。
【００７７】
機器別消費済電力量情報８０１は、開始時刻から現在時刻までを１分毎に区切ることにより得られる時間帯毎に電気機器４１０により消費された電力量を示す情報である。同様に、機器別消費済電力量情報８０２は、開始時刻から現在時刻までを１分毎に区切ることにより得られる時間帯毎に電気機器４２０により消費された電力量を示す情報である。同様に、機器別消費済電力量情報８０３は、開始時刻から現在時刻までを１分毎に区切ることにより得られる時間帯毎に電気機器４３０により消費された電力量を示す情報である。なお、図８では、開始時刻からの経過時間と、この経過時間で示される時刻の直前の１分間に消費された電力量とが対応付けられている例を示す。つまり、図８では、開始時刻からの経過時間により、上記時間帯が特定されている例を示している。
【００７８】
次に、図９を参照して、消費予定電力量情報について説明する。
【００７９】
消費予定電力量情報は、消費される予定の電力量を、電気機器４００毎、時間帯毎に示す情報である。なお、この時間帯は、現在時刻から終了時刻までを１分毎に区切ることにより得られる時間帯である。図９は、消費予定電力量情報が、機器別消費予定電力量情報９０１と、機器別消費予定電力量情報９０２と、機器別消費予定電力量情報９０３とにより構成されている例を示す。機器別消費予定電力量情報９０１は、電気機器４１０により消費される予定の電力量を示す情報であり、機器別消費予定電力量情報９０２は、電気機器４２０により消費される予定の電力量を示す情報であり、機器別消費予定電力量情報９０３は、電気機器４３０により消費される予定の電力量を示す情報である。
【００８０】
機器別消費予定電力量情報９０１は、現在時刻から終了時刻までを１分毎に区切ることにより得られる時間帯毎に電気機器４１０により消費される予定の電力量を示す情報である。同様に、機器別消費予定電力量情報９０２は、現在時刻から終了時刻までを１分毎に区切ることにより得られる時間帯毎に電気機器４２０により消費される予定の電力量を示す情報である。同様に、機器別消費予定電力量情報９０３は、現在時刻から終了時刻までを１分毎に区切ることにより得られる時間帯毎に電気機器４３０により消費される予定の電力量を示す情報である。なお、図９では、開始時刻からの経過時間と、この経過時間で示される時刻の直前の１分間に消費される予定の電力量とが対応付けられている例を示す。つまり、図９では、開始時刻からの経過時間により、上記時間帯が特定されている例を示している。
【００８１】
次に、図１０を参照して、本実施形態に係る消費電力量予測装置１００が実行する消費電力量予測処理の概要を説明する。
【００８２】
図１０は、開始時刻からの経過時間と、電力量との関係を示すグラフである。図１０に示すグラフ中の実線は、開始時刻から現在時刻までの間、全ての電気機器４００（電気機器４１０、電気機器４２０、電気機器４３０）により消費された合計電力量が、時間経過とともに増加した様子を示す。一方、図１０に示すグラフ中の破線は、現在時刻から終了時刻までの間、全ての電気機器４００（電気機器４１０、電気機器４２０、電気機器４３０）により消費される予定の合計電力量が、時間経過とともに増加していく様子を示す。
【００８３】
ここで、開始時刻から終了時刻までの間に消費する電力量の予測値は、全ての電気機器４００（電気機器４１０、電気機器４２０、電気機器４３０）が開始時刻から終了時刻までの間に消費する合計電力量である。また、この予測値は、現在時刻における消費済電力量と、現在時刻における消費予定電力量との合計である。現在時刻における消費済電力量は、開始時刻から現在時刻までの間に全ての電気機器４００（電気機器４１０、電気機器４２０、電気機器４３０）により既に消費された合計電力量である。消費予定電力量は、現在時刻から終了時刻までの間に全ての電気機器４００（電気機器４１０、電気機器４２０、電気機器４３０）により消費される予定の合計電力量である。
【００８４】
また、図１０は、予測値、つまり、終了時刻における合計電力量が、閾値を超えるか否かを明示している。この閾値は、適宜調整することができる。図１０は、第１次警報に対応する電力量と、第２次警報に対応する電力量と、第３次警報に対応する電力量と、契約電力と積算期間との積により表される電力量（以下「契約電力量」という。）との４つの電力量が閾値として設定されている様子を示している。
【００８５】
第１次警報に対応する電力量は、例えば、契約電力量の７０％とすることができる。第２次警報に対応する電力量は、例えば、契約電力量の８０％とすることができる。第３次警報に対応する電力量は、例えば、契約電力量の９０％とすることができる。
【００８６】
図１０は、予測値が、第１次警報に対応する電力量を超え、第２次警報に対応する電力量を超えていない様子を示す。この場合、消費電力量予測装置１００は、第１次警報を発することができる。
【００８７】
次に、図１１に示すフローチャートを参照して、本実施形態に係る消費電力量予測装置１００が実行する消費電力量予測処理について説明する。なお、消費電力量予測装置１００は、電源が投入されている間、消費電力量予測処理を実行する。
【００８８】
まず、ＣＰＵ１０１は、現在時刻を取得する（ステップＳ１０１）。具体的には、ＣＰＵ１０１は、ＲＴＣ１０４が出力する時刻情報を参照して、現在時刻を取得する。ＣＰＵ１０１は、現在時刻を示す現在時刻情報をＲＡＭ１０３に記憶する。
【００８９】
ＣＰＵ１０１は、ステップＳ１０１の処理を完了すると、ＲＡＭ１０３に記憶されている現在時刻情報により示される現在時刻がチェック時刻か否かを判別する（ステップＳ１０２）。チェック時刻をどのように設定するかは、適宜、調整することができる。本実施形態では、チェック時刻は、時分秒における分の値が切り替わる時刻であり、１分毎に到来する時刻であるものとして説明する。
【００９０】
ＣＰＵ１０１は、現在時刻がチェック時刻ではないと判別すると（ステップＳ１０２：ＮＯ）、ステップＳ１０１に処理を戻す。
【００９１】
一方、ＣＰＵ１０１は、現在時刻がチェック時刻であると判別すると（ステップＳ１０２：ＹＥＳ）、現在時刻が開始時刻であるか否かを判別する（ステップＳ１０３）。開始時刻は、時分秒における分の値が００もしくは３０に切り替わる時刻であり、積算期間の先頭の時刻である。なお、注目している積算期間の開始時刻は、注目している積算期間の１つ前の積算期間の終了時刻と等しい。
【００９２】
ＣＰＵ１０１は、現在時刻が開始時刻であると判別すると（ステップＳ１０３：ＹＥＳ）、初期化処理を実行する（ステップＳ１０４）。例えば、ＣＰＵ１０１は、ＲＡＭ１０３に記憶されている消費済電力量情報、消費予定電力量情報などをクリアする。
【００９３】
ＣＰＵ１０１は、現在時刻が開始時刻ではないと判別した場合（ステップＳ１０３：ＮＯ）、もしくは、ステップＳ１０４の処理を完了した場合、全ての電気機器の消費電力を計測する（ステップＳ１０５）。例えば、ＣＰＵ１０１は、ＮＩＣ１０５を制御して、電気機器４１０が最近１分間で消費した電力量を電力測定器２１０から受信し、電気機器４２０が最近１分間で消費した電力量を電力測定器２２０から受信し、電気機器４３０が最近１分間で消費した電力量を電力測定器２３０から受信する。
【００９４】
ＣＰＵ１０１は、ステップＳ１０５の処理を完了すると、代表値情報を更新する（ステップＳ１０６）。例えば、ＣＰＵ１０１は、開始時刻からの経過時間を特定する現在時刻と、スケジュール情報と、電力測定器２１０から受信した電力量と、電力測定器２２０から受信した電力量と、電力測定器２３０から受信した電力量とに基づいて、ＲＡＭ１０３に記憶されている代表値情報を更新する。
【００９５】
具体的には、ＣＰＵ１０１は、ＲＡＭ１０３に記憶されている、現在時刻情報と、スケジュール情報とに基づいて、電気機器４１０の現在の動作状態と、電気機器４２０の現在の動作状態と、電気機器４３０の現在の動作状態とを特定する。そして、ＣＰＵ１０１は、特定した電気機器４１０の現在の動作状態に、電力測定器２１０から受信した電力量が対応付けられるように、ＲＡＭ１０３に記憶されている代表値情報を更新する。また、ＣＰＵ１０１は、特定した電気機器４２０の現在の動作状態に、電力測定器２２０から受信した電力量が対応付けられるように、ＲＡＭ１０３に記憶されている代表値情報を更新する。また、ＣＰＵ１０１は、特定した電気機器４３０の現在の動作状態に、電力測定器２３０から受信した電力量が対応付けられるように、ＲＡＭ１０３に記憶されている代表値情報を更新する。
【００９６】
ＣＰＵ１０１は、ステップＳ１０６の処理を完了すると、消費済電力量を算出する（ステップＳ１０７）。具体的には、まず、ＣＰＵ１０１は、開始時刻からの経過時間を特定する現在時刻を参照して、電力測定器２１０から受信した電力量、電力測定器２２０から受信した電力量、電力測定器２３０から受信した電力量のそれぞれで、ＲＡＭ１０３に記憶されている消費済電力量情報を更新する。そして、ＣＰＵ１０１は、ＲＡＭ１０３に記憶されている消費済電力量情報に基づいて、電気機器４１０が開始時刻から現在時刻までに消費した電力量の合計値と、電気機器４２０が開始時刻から現在時刻までに消費した電力量の合計値と、電気機器４３０が開始時刻から現在時刻までに消費した電力量の合計値との合計値を消費済電力量として算出し、ＲＡＭ１０３に記憶する。
【００９７】
ＣＰＵ１０１は、ステップＳ１０７の処理を完了すると、消費予定電力量を算出する（ステップＳ１０８）。具体的には、まず、ＣＰＵ１０１は、ＲＡＭ１０３に記憶されている消費予定電力量情報を、ＲＡＭ１０３に記憶されているスケジュール情報と、ＲＡＭ１０３に記憶されている代表値情報とに基づいて更新する。そして、ＣＰＵ１０１は、ＲＡＭ１０３に記憶されている消費予定電力量情報に基づいて、電気機器４１０が現在時刻から終了時刻までに消費する予定の電力量の合計値と、電気機器４２０が現在時刻から終了時刻までに消費する予定の電力量の合計値と、電気機器４３０が現在時刻から終了時刻までに消費する予定の電力量の合計値との合計値を消費予定電力量として算出し、ＲＡＭ１０３に記憶する。
【００９８】
ＣＰＵ１０１は、ステップＳ１０８の処理を完了すると、予測値を算出する（ステップＳ１０９）。具体的には、ＣＰＵ１０１は、ＲＡＭ１０３に記憶されている消費済電力量と、ＲＡＭ１０３に記憶されている消費予定電力量との合計値を予測値として算出し、ＲＡＭ１０３に記憶する。
【００９９】
ＣＰＵ１０１は、ステップＳ１０９の処理を完了すると、ＲＡＭ１０３に記憶されている予測値が閾値を超えるか否かを判別する（ステップＳ１１０）。閾値は、例えば、契約電力量、契約電力量から所定の電力量を減じた電力量、契約電力量に所定の割合（例えば、５０％〜９９％）を乗じて得られる電力量である。
【０１００】
ＣＰＵ１０１は、予測値が閾値を超えていないと判別すると（ステップＳ１１０：ＮＯ）、ステップＳ１０１に処理を戻す。一方、ＣＰＵ１０１は、予測値が閾値を超えていると判別すると（ステップＳ１１０：ＹＥＳ）、少なくとも１つの電気機器４００を特定する（ステップＳ１１１）。閾値は、複数個設定されていてもよい。この場合、予測値が複数の閾値のうちのいずれかを超える場合にステップＳ１１１に移行し、予測値が複数の閾値のうちのいずれも超えていない場合にステップＳ１０１に移行する。なお、閾値は、ＲＯＭ１０２、ＲＡＭ１０３、ハードディスク１０９などに記憶されているものとする。
【０１０１】
ここで、ＣＰＵ１０１が特定する少なくとも１つの電気機器４００をどのようなものにするかは、適宜、調整することが可能である。例えば、ＣＰＵ１０１は、ＲＡＭ１０３に記憶されている消費予定電力量情報に基づいて、複数の電気機器４００のうち、現在時刻から終了時刻までの間に消費される予定の電力量の合計値が大きいものから順に所定個数の電気機器４００を特定することができる。なお、ＣＰＵ１０１は、例えば、予測値から、特定済みの電気機器４００が消費する予定の電力量の合計値を減じた値が、閾値以下になるまで電気機器４００を特定することができる。
【０１０２】
ＣＰＵ１０１は、ステップＳ１１１の処理を完了すると、警告画面を提示する（ステップＳ１１２）。例えば、ＣＰＵ１０１は、画像処理部１１０を制御して、表示装置１１１に図１２に示す警告画面を表示させることができる。
【０１０３】
図１２に示すように、警告画面１２００は、合計電力量表示領域１２１０と、メッセージ表示領域１２２０と、詳細ボタン１２３０と、ＯＫボタン１２４０とを含む。
【０１０４】
合計電力量表示領域１２１０は、開始時刻からの経過時間と、合計電力量との関係を示し、開始時刻から現在時刻まで時間経過とともに消費された電力量の合計値が増加した様子を示し、現在時刻から終了時刻まで時間経過とともに消費される電力量の合計値が増加していく様子を示すグラフが表示される領域である。
【０１０５】
合計電力量表示領域１２１０には、第１次警報、第２次警報、第３次警報、契約電力のそれぞれに対応する電力量、現在時刻における消費済電力量、現在時刻における消費予定電力量、第１次警報、第２次警報、第３次警報、契約電力のそれぞれに対応する電力量への到達予測時刻、終了時刻における合計電力量（予測値）などが表示されてもよい。
【０１０６】
メッセージ表示領域１２２０は、警告やアドバイスなどが表示される領域である。警告は、例えば、現在のスケジュール情報に従った運転が継続された場合、合計電力量が契約電力量などを超える恐れがある旨の警告である。アドバイスは、例えば、合計電力量が契約電力量などを超えることを防止するための対策に関するアドバイスである。例えば、アドバイスにより、特定された少なくとも１つの電気機器４００の運転状態を停止状態にすることを推奨することができる。
【０１０７】
詳細ボタン１２３０は、詳細画面の表示開始指示をユーザから受け付けるためのボタンである。
【０１０８】
ＯＫボタン１２４０は、警告画面１２００の表示終了指示をユーザから受け付けるためのボタンである。
【０１０９】
ここで、詳細画面については、図１３を参照して説明する。図１３に示すように、詳細画面１３００は、機器別電力表示領域１３１０と、スクロールバー１３２０と、ＯＫボタン１３３０とを備える。
【０１１０】
機器別電力表示領域１３１０は、全ての電気機器４００の各々について、開始時刻から現在時刻までの間に消費された電力の推移状況と、現在時刻から終了時刻までの間に消費する予定の電力の推移状況とを示すグラフが表示される領域である。ユーザは、機器別電力表示領域１３１０に表示されたグラフを参照して、電気機器４００の各々の電力の消費履歴もしくは消費予定を観察することにより、電力節減のために停止するのに適切な電気機器４００を選択することができる。
【０１１１】
スクロールバー１３２０は、機器別電力表示領域１３１０に表示される画像をスクロール表示するためのスクロール操作をユーザから受け付ける。つまり、ユーザは、スクロールバー１３２０に対するスクロール操作により、機器別電力表示領域１３１０にグラフが表示される電気機器４００を切り替えたり、機器別電力表示領域１３１０に表示されているグラフの位置を移動させたりすることができる。
【０１１２】
ＯＫボタン１３３０は、詳細画面１３００の表示終了指示をユーザから受け付けるためのボタンである。
【０１１３】
ＣＰＵ１０１は、ステップＳ１１２の処理を完了すると、ステップＳ１０１に処理を戻す。
【０１１４】
本実施形態では、スケジュール情報と代表値情報とに基づいて、予測値が求められる。従って、本実施形態によれば、正確な予測値に基づいて適切に警告を発することができる。
【０１１５】
また、本実施形態によれば、同一の電気機器４００が同一の動作状態で消費した最新の電力の値（代表値）に基づいて、正確に予測値を求めることができる。従って、本実施形態によれば、正確な予測値に基づいて適切に警告を発することができる。なお、同一の電気機器４００であっても、設置場所、季節、時間帯などの動作条件により、消費する電力が異なることがある。このような場合でも、最新の電力の値を代表値にすることにより、精度良く予測値を求めることができる。
【０１１６】
（第２の実施形態）
第１の実施形態では、停止状態、待機状態、段取状態、本作業状態などに大別された運転状態毎に消費電力の代表値が定義される例を示した。本発明において、運転状態毎に消費電力の代表値を定義した上、さらに、運転条件毎に代表値を調整して利用してもよい。以下、本実施形態では、運転条件毎に代表値を調整して利用する例について説明する。
【０１１７】
運転条件としては種々の条件が考えられる。本実施形態では、電気機器４００がある材料を使用して製品を製造する場合に、使用する材料の種類により消費電力が異なる場合を例にして説明する。
【０１１８】
図１４は、材料スケジュール情報を示す図である。材料スケジュール情報は、使用する材料のスケジュールを電気機器４００毎に示す情報である。材料スケジュール情報は、電気機器４１０が使用する材料のスケジュールを示す機器別材料スケジュール情報１４０１と、電気機器４２０が使用する材料のスケジュールを示す機器別材料スケジュール情報１４０２と、電気機器４３０が使用する材料のスケジュールを示す機器別材料スケジュール情報１４０３とを含む。
【０１１９】
機器別材料スケジュール情報１４０１は、電気機器４１０が使用する材料の切替時刻と、切替時刻後に電気機器４１０が使用する材料とを対応付ける情報である。機器別材料スケジュール情報１４０２は、電気機器４２０が使用する材料の切替時刻と、切替時刻後に電気機器４２０が使用する材料とを対応付ける情報である。機器別材料スケジュール情報１４０３は、電気機器４３０が使用する材料の切替時刻と、切替時刻後に電気機器４３０が使用する材料とを対応付ける情報である。
【０１２０】
図１５は、調整率情報を示す図である。調整率情報は、電気機器４００が使用する材料毎に、代表値の調整率を定義する情報である。図１５は、材料Ａの調整率が１００％であり、材料Ｂの調整率が１５０％であり、材料Ｃの調整率が８０％である例を示している。ここで、材料Ａを使用している場合、代表値を調整せずに利用し、材料Ｂもしくは材料Ｃを使用している場合、代表値を調整した上で利用する。
【０１２１】
例えば、図７に示す代表値情報を更新する際、材料Ａを使用している場合、測定により取得された電力で代表値を更新し、材料Ｂもしくは材料Ｃを使用している場合、測定により取得された電力に調整率を乗じた値で代表値を更新する。なお、材料Ａを使用している場合のみ代表値情報を更新し、材料Ｂもしくは材料Ｃを使用している場合は代表値情報を更新しないようにすることもできる。
【０１２２】
また、図９に示す消費予定電力量情報を算出する際、材料Ａを使用している場合、代表値情報が示す代表値をそのまま使用し、材料Ｂもしくは材料Ｃを使用している場合、代表値情報が示す代表値に調整率を乗じた値を使用する。
【０１２３】
本実施形態によれば、消費される予定の電力量を算出する際に、おおよその電力量を運転状態に基づいて求め、求めたおおよその電力量を運転条件に基づいて調整することにより、精度良く電力量を求めることができる。このため、運転状態と運転条件とを別々に管理することにより、処理の複雑化を抑制しつつ、運転状態と運転条件とに基づいて正確に消費される予定の電力量を求めることができる。
【０１２４】
（第３の実施形態）
第１の実施形態では、消費電力が大きいものから順に、運転を停止する電気機器４００の候補が特定される例について説明した。本発明において、運転を停止する電気機器４００を特定する手法は適宜調整が可能である。例えば、本発明において、あらかじめ定められた優先度に従って、運転を停止する電気機器４００が特定されてもよい。なお、優先度をどのように設定するかも、適宜、調整が可能である。本実施形態では、優先度が、単位消費電力量当たりの利益率により定められる例について説明する。
【０１２５】
図１６は、製品スケジュール情報を示す図である。製品スケジュール情報は、製造する製品のスケジュールを電気機器４００毎に示す情報である。製品スケジュール情報は、電気機器４１０が製造する製品のスケジュールを示す機器別製品スケジュール情報１６０１と、電気機器４２０が製造する製品のスケジュールを示す機器別製品スケジュール情報１６０２と、電気機器４３０が製造する製品のスケジュールを示す機器別製品スケジュール情報１６０３とを含む。
【０１２６】
機器別製品スケジュール情報１６０１は、電気機器４１０が製造する製品の切替時刻と、切替時刻後に電気機器４１０が製造する製品とを対応付ける情報である。機器別製品スケジュール情報１６０２は、電気機器４２０が製造する製品の切替時刻と、切替時刻後に電気機器４２０が製造する製品とを対応付ける情報である。機器別製品スケジュール情報１６０３は、電気機器４３０が製造する製品の切替時刻と、切替時刻後に電気機器４３０が製造する製品とを対応付ける情報である。
【０１２７】
図１７は、利益率情報を示す図である。利益率情報は、電気機器４００が製造する製品毎に、単位消費電力量当たりの利益率を定義する情報である。図１７は、製品Ａの利益率が１００（万円／ｋＷｈ）であり、製品Ｂの利益率が８０（万円／ｋＷｈ）であり、製品Ｃの利益率が１２０（万円／ｋＷｈ）であり、製品Ｄの利益率が９０（万円／ｋＷｈ）である例を示している。この場合、利益率の高い順に並べると、製品Ｃ、製品Ａ、製品Ｄ、製品Ｂとなる。
【０１２８】
従って、例えば、予測値が契約電力量を超える場合、まず、製品Ｂを製造中の電気機器４００が運転を中止する電気機器４００の候補として特定され、次に、製品Ｄを製造中の電気機器４００が運転を中止する電気機器４００の候補として特定され、次に、製品Ａを製造中の電気機器４００が運転を中止する電気機器４００の候補として特定される。
【０１２９】
本実施形態によれば、単位消費電力量当たりの利益率が低いものから優先的に、運転を停止させる電気機器４００の候補として特定される。従って、本実施形態によれば、契約電力の増加を防ぐために合計電力量を抑えた場合でも、利益があまり減らないようにすることができる。
【０１３０】
（第４の実施形態）
第１の実施形態では、消費電力量予測システムが、提示部１９を備える例について説明した。本発明において、消費電力量予測システムが、変更部２０を備えていてもよい。
【０１３１】
以下、図４を参照して、本実施形態に係る消費電力量予測システム１１００の基本的な機能について説明する。なお、消費電力量予測システム１１００の構成は、提示部１９の代わりに変更部２０を備えること以外は、消費電力量予測システム１０００の構成と同様である。従って、本実施形態では、主に変更部２０について説明する。
【０１３２】
変更部２０は、特定部１８が特定した少なくとも１つの電気機器４００の運転状態を、現在の運転状態よりも消費電力が低い運転状態に変更する。変更部２０は、例えば、ＣＰＵ１０１、ＲＴＣ１０４、ＮＩＣ１０５を含む。
【０１３３】
変更部２０は、電気機器４００の運転状態を変更する方法は、適宜、調整が可能である。例えば、変更部２０は、現在の運転状態よりも消費電力が少ない運転状態になるように、電気機器４００を直接制御してもよい。この場合、変更部２０と電気機器４００とは、例えば、相互に通信が可能なように、無線通信部もしくは有線通信部を備える。
【０１３４】
あるいは、変更部２０は、電気機器４００の運転状態を制御可能な制御装置を介して、電気機器４００の運転状態を変更してもよい。この場合、変更部２０と制御装置とは、例えば、相互に通信が可能なように、無線通信部もしくは有線通信部を備える。また、電気機器４００と制御装置とは、例えば、相互に通信が可能なように、無線通信部もしくは有線通信部を備える。
【０１３５】
ここで、特定部１８が、運転状態を変更することが推奨される少なくとも１つの電気機器４００を特定する手法は任意である。例えば、特定部１８は、運転状態を変更することが推奨される、予め定められた少なくとも１つの電気機器４００を特定することができる。運転状態を変更することが推奨される電気機器４００として、どのような電気機器４００を予め定めておくかは適宜調整が可能である。
【０１３６】
例えば、電気機器４００が、動力機器、空調機器、照明機器のいずれかに分類される場合、空調機器に分類される電気機器４００を、運転状態を変更することが推奨される電気機器４００として予め定めておくことができる。その理由は、以下の通りである。
【０１３７】
動力機器は、材料の搬送、材料の加工など、製品の製造に直接関わる電気機器４００である。従って、動力機器の消費電力が比較的高かったとしても、動力機器の運転状態は変更したくない場合が多い。
【０１３８】
また、照明機器は、製品の製造に直接かかわる電気機器４００であることは稀であるが、消費電力が比較的低い。従って、照明機器の運転状態を変更したとしても、システム全体の消費電力の低減に与える影響は小さい。
【０１３９】
一方、空調機器は、製品の製造に直接かかわる電気機器４００であることは稀である上、消費電力が比較的高い。従って、照明機器の運転状態を変更することにより、製品の製造への影響を最小限に抑えつつ、システム全体の消費電力を減らすことが期待できる。
【０１４０】
なお、消費電力を低減するために、空調機器の運転状態を変更する方法は適宜調整が可能である。例えば、冷房運転時に設定温度を上げる、暖房運転時に設定温度を下げる、温度制御に代えて湿度制御を開始する、温度制御に代えて送風制御を開始するなどの方法がある。また、空調機器の運転状態の変更は、現在の積算期間において消費電力を低減するための一時的な措置である。従って、現在の積算期間の終了時刻（次の積算期間の開始時刻）に至るまでの間、空調機器の運転状態を一時的に変更すれば十分である。
【０１４１】
本実施形態によれば、作業者の手を煩わすことなく、自動かつ安全に契約電力の増加を防ぐことができる。また、本実施形態によれば、製品の製造に影響を与えにくく、かつ、比較的消費電力が高いものから優先的に、運転状態を変更させる電気機器４００の候補として特定される。従って、本実施形態によれば、契約電力の増加を防ぐために合計電力量を抑えた場合でも、製品の製造による利益があまり減らないようにすることができる。
【０１４２】
（変形例）
本発明は、上記実施形態に開示したものに限られない。
【０１４３】
第１の実施形態では、前記複数の電気機器４００のそれぞれについて機器別代表値情報が用意される例を示した。本発明において、同一の種類の電気機器４００の機器別代表値情報が共用されてもよい。この場合、同一の種類の電気機器４００が同一の動作状態のときに測定された電力量のうち、最新の電力量が測定されたときの季節、時間帯などの動作条件は、現在時刻から終了時刻までの間の動作条件と比較的近い動作条件であることが期待できる。消費する電力量が、電気機器４００の個体差よりも、季節、時間帯などの動作条件に依存する場合、特に有効である。
【０１４４】
第１の実施形態では、同一の電気機器４００が同一の動作状態で消費した最新の電力に基づいて、予測値を求める例（代表値を最新の値に設定する例）について説明した。本発明において、同一の電気機器４００が同一の動作状態で消費した電力の平均値に基づいて、予測値を求めてもよい（代表値を平均値に設定してもよい）。この場合、例えば、同一の電気機器４００が同一の動作状態で動作する毎に、消費した電力の平均値を更新する。なお、電気機器４００が同じ動作状態で動作する間に消費電力が変化する場合であっても、例えば、電気機器４００の数が多い場合、消費電力の平均値を採用することにより、それなりに妥当な予測値が求められることが期待できる。また、同一の種類の電気機器４００が同一の動作状態で消費した電力の平均値に基づいて、予測値を求めてもよい。
【０１４５】
第２の実施形態では、運転条件が材料である例について説明した。本発明において、運転条件は種々のものを採用することができる。例えば、運転条件として、電気機器４００の動作速度（各部の回転数、移動速度など）、電気機器４００が使用する材料の材質やサイズ（幅、長さ、厚み）、電気機器４００を操作するオペレータ（熟練度）などを採用することができる。
【０１４６】
第１の実施形態では、運転状態が、停止状態、待機状態、段取状態、本作業状態などに大別される例を示した。本発明において、運転状態がさらに細分化されてもよい。例えば、上記大別された運転状態のそれぞれを、序盤、中盤、終盤の３つに分割してもよい。
【０１４７】
第１の実施形態では、基本的に、１分単位で電力量を計算もしくは管理する例について説明した。本発明において、電力量を計算もしくは管理する時間は、これに限定されない。電力量を計算もしくは管理する時間を、例えば、５秒、１０秒、３０秒、３分、５分、１０分などに、適宜、調整することができる。
【０１４８】
第１の実施形態では、予測値が閾値を超える場合、少なくとも１つの電気機器４００を停止させることを提案するメッセージを提示する例について説明した。本発明において、提示するメッセージは、電気機器４００を停止させることを提案するものに限定されない。例えば、提示するメッセージは、少なくとも１つの電気機器４００の動作状態を、現在の動作状態よりも消費電力が低い動作状態に移行することを提案するものであってもよい。
【０１４９】
例えば、提示するメッセージは、「段取中の電気機器４００の運転状態を本作業状態に移行する時間をずらして下さい。」、「アイドリング中の電気機器４００の運転状態を停止状態にして下さい（電源をオフにして下さい）。」、「停止中の電気機器４００の運転状態を電力無供給状態にして下さい（ブレーカーをオフにして下さい）。」、「空調機器の温度設定を○度下げて下さい。」、「空調機器を送風状態にして下さい。」とすることができる。
【０１５０】
上記実施形態では、閾値が、第１警報、第２警報、第３警報、契約電力量の４つ設定される例について説明した。本発明において、閾値は、何個設定されてもよい。なお、閾値の値や個数は、消費電力予測装置１００により予め定められていてもよいし、ユーザにより設定されていてもよい。
【０１５１】
第３の実施形態では、優先度が、単位消費電力量当たりの利益率により定められる例について説明した。本発明において、優先度をどのように定めるかは適宜調整が可能である。例えば、本発明において、優先度が、単位時間当たりの利益率により定められてもよい。この場合、例えば、消費電力が低い動作状態とされる電気機器４００の候補が、単位時間当たりの利益率が低いものから順に特定されることが望ましい。
【０１５２】
もしくは、優先度が、電気機器４００が製造している製品の納期の厳しさや余裕日数等により定めても良い。この場合、例えば、消費電力が低い動作状態とされる電気機器４００の候補が、納期が厳しくない製品を製造しているものから順、もしくは、納期に余裕がある製品を製造しているものから順に選択されることが望ましい。
【０１５３】
第１の実施形態では、消費電力量予測装置１００がＣＰＵ１０１とＲＯＭ１０２とＲＡＭ１０３とを備え、ＣＰＵ１０１が、ＲＯＭ１０２に記憶されているプログラムに従って、ソフトウェアにより消費電力量予測処理が実現される例を示した。しかし、消費電力量予測装置１００が実行する消費電力量予測処理は、ソフトウェアにより実現されるものに限定されない。例えば、消費電力量予測装置１００は、マイクロコンピュータ、ＦＰＧＡ（Field Programmable Gate Array）、ＰＬＤ（Programmable Logic Device）、ＤＳＰ（Digital Signal Processor）などにより構成されてもよい。
【０１５４】
なお、本発明に係る消費電力量予測システムは、専用のシステムによらず、通常のコンピュータシステムを用いても実現可能である。例えば、コンピュータに、上記動作を実行するためのプログラムを、フレキシブルディスク、ＣＤ−ＲＯＭ（Compact Disk-Read Only Memory）、ＤＶＤ（Digital Versatile Disk）、ＭＯ（Magnet Optical Disk）などのコンピュータ読み取り可能な記録媒体に記憶して配布し、これをコンピュータシステムにインストールすることにより、上述の処理を実行する消費電力量予測システムを構成しても良い。さらに、インターネット上のサーバ装置が有するディスク装置等にプログラムを記憶しておき、例えば、搬送波に重畳させて、コンピュータにダウンロード等するものとしてもよい。
【符号の説明】
【０１５５】
１１  個別消費電力計測部
１２  消費済電力量取得部
１３  スケジュール情報記憶部
１４  代表値情報取得部
１５  消費予定電力量取得部
１６  消費電力量予測値取得部
１７  警告部
１８  特定部
１９  提示部
２０  変更部
１００  消費電力量予測装置
１０１  ＣＰＵ
１０２  ＲＯＭ
１０３  ＲＡＭ
１０４  ＲＴＣ
１０５  ＮＩＣ
１０６  音声処理部
１０７  スピーカ
１０８  操作部
１０９  ハードディスク
１１０  画像処理部
１１１  表示装置
１２０  バス
２００、２１０、２２０、２３０  電力測定器
２０１  ＣＰＵ
２０２  ＲＯＭ
２０３  ＲＡＭ
２０４  ＲＴＣ
２０５  ＮＩＣ
２０６  フラッシュメモリ
２０７  電流入力部
２０８  電圧入力部
２０９  積算部
２４０  バス
３００  電気通信網
４００、４１０、４２０、４３０  電気機器
５００  キュービクル
６０１、６０２、６０３  機器別スケジュール情報
７０１、７０２、７０３  機器別代表値情報
８０１、８０２、８０３  機器別消費済電力情報
９０１、９０２、９０３  機器別消費予定電力情報
１０００、１１００  消費電力量予測システム
１２００  警告画面
１２１０  合計電力量表示領域
１２２０  メッセージ表示領域
１２３０  詳細ボタン
１２４０  ＯＫボタン
１３００  詳細画面
１３１０  機器別電力表示領域
１３２０  スクロールバー
１３３０  ＯＫボタン
１４０１、１４０２、１４０３  機器別材料スケジュール情報
１６０１、１６０２、１６０３  機器別製品スケジュール情報
２０００  消費電力量被予測システム
【図１】
2015035883.tif 000003
【図２】
2015035883.tif 000004
【図３】
2015035883.tif 000005
【図４】
2015035883.tif 000006
【図５】
2015035883.tif 000007
【図６】
2015035883.tif 000008
【図７】
2015035883.tif 000009
【図８】
2015035883.tif 000010
【図９】
2015035883.tif 000011
【図１０】
2015035883.tif 000012
【図１１】
2015035883.tif 000013
【図１２】
2015035883.tif 000014
【図１３】
2015035883.tif 000015
【図１４】
2015035883.tif 000016
【図１５】
2015035883.tif 000017
【図１６】
2015035883.tif 000018
【図１７】
2015035883.tif 000019
【図１８】
2015035883.tif 000020